(57)【要約】【目的】けらば側への雨だれを防ぎ、雨仕舞いのよいケラバ部材を提供する。【構成】平面部１１と、平面部１１の左右の一側が端部に向かって高くなるように斜めに立ち上げられた斜面部１２と、その端縁が折り下げられた側面部１４と、側面部１４の下縁が内側方向に折り曲げられた折り曲げ部１５とが形成されており、折り曲げ部１５には爪部分１５ａが形成されており、平面部１１の他側には、内側方向に折り返された接続部１９が形成されており、平面部の軒側には折り下げ部１６が形成されており、折り下げ部１６と斜面部１２と側面部１４とを塞ぐ斜面閉塞部分１７ａが形成されているケラバカバー１の接続部１９と、捨板２の捨板接続部２３とを組み合わせる。【選択図】      図２
2004169353.tif 000002
【特許請求の範囲】
【請求項１】
ケラバカバーには、平面部が形成されており、平面部の左右の一側には、端部に向かって高くなるように斜めに立ち上げられた斜面部が形成されており、その端縁が折り下げられて側面部が形成されており、側面部の下縁が内側方向に折り曲げられて折り曲げ部が形成されており、折り曲げ部には爪部分が形成されており、平面部の他側には、内側方向に折り返された接続部が形成されており、平面部の軒側は折り下げられて折り下げ部が形成されており、該折り下げ部と斜面部と側面部とを塞ぐ斜面閉塞部分が形成されており、捨板には、捨板平面部と、捨板平面部の左右の少なくとも一側が表面側に折り曲げられて形成された捨板接続部とが設けられており、捨板平面部の軒側が折り下げられて下がり部となっており、捨板平面部の棟側が立ち上げられて立ち上げ部となっており、前記ケラバカバーの接続部と、捨板の捨板接続部とが組み合わせられて成るケラバ部材。
【発明の詳細な説明】
【０００１】
【発明が属する技術分野】
本発明は、横葺きの屋根材のけらば納めに用いられる部材に関するものである。
【０００２】
【従来の技術】
従来の技術について、図６（ア）（イ）と図７とにより説明する。いずれも、けらば端部からの雨だれを防ぐことを目的としたものである。
図６（ア）（イ）は、特開２００２−９７７６７号公報に記載されているケラバカバー１に関するものである。（ア）のケラバカバー１には、平面部１１と、平面部１１のけらば側が折り下げられた側面部１４と、側面部１４の下縁が内側方向に折り曲げられた折り曲げ部１５とが形成されている。平面部１１において、側面部１４と反対側は折り下げられて側壁部１８が形成されており、側壁部１８の下縁は内側方向に折り曲げられている。そして、平面部１１の軒側が折り下げられて折り下げ部１６が形成されている。このようなケラバカバー１の側壁部１８が面板部３１上に位置するように、屋根材３のけらば側に載せられて固定されている。
（イ）は、ケラバカバー１と止水板１ａとの組み合わせから成っている。ケラバカバー１には、平面部１１と、平面部１１のけらば側が折り下げられた側面部１４と、側面部１４の下縁が内側方向に折り曲げられた折り曲げ部１５とが形成されている。平面部１１の軒側は折り下げられて、折り下げ部１６となっている。そして、ケラバカバー１の平面部１１よりも突出する高さを有する側壁部１８が形成されている止水板１ａと組み合わせて、けらばを納めている。ケラバカバー１と止水板１ａとは、止水板１ａの下縁とケラバカバー１の折り曲げ部１５とを組み合わせて接続し、止水板１ａの側面をケラバカバー１の側面部１４に止着具４で固定して行う。
【０００３】
図７は、ケラバカバー１と下縁材６との組み合わせから成っている。ケラバカバー１には、平面部１１と、平面部１１のけらば側が、けらば端部に向かって高くなるように形成された斜面部１２と、斜面部１２が折り下げられた側面部１４と、側面部１４の下縁が内側方向に折り曲げられた折り曲げ部１５とが形成されている。下縁材６には、平面部１１よりも高く立ち上げられている面が形成されており、これを屋根の軒先端部に設置し、止着具４で固定部材Ｂに固定する。この下縁材６と、ケラバカバー１とが組み合わせられている。このように、軒先端部に下縁材６を設置することで壁を作り、平面部１１を流れて来る雨をせき止めて屋根材３側へ流し、さらに樋Ｃへ導くことを目的としている。
【０００４】
【特許文献１】
特開２００２−９７７６７号公報（図１）
【特許文献２】
特開２００２−９７７６７号公報（図３）
【特許文献３】
特開平８−２３２４１７号公報（図１）
【０００５】
【発明が解決しようとする課題】
図６（ア）に示した従来技術は、けらば側への雨だれを防ぐことを目的としているが、平面部を流れる雨が、けらば側へ垂れてしまった。また、（イ）に示した従来技術は、止水板の側壁部が上方に突出しているため、側壁部が強風により曲がったり、止水板が外れたりするおそれがあった。
図７に示した従来技術は、平面部よりも突出している下縁材が雪の重みで曲がったり外れたりするおそれがあった。また、平面部は、波板である縦葺きの屋根材に添って段差のないように形成されているため、棟側から勢いよく流れてくる雨が屋根材側へ行かず、下縁材を乗り越えてしまって樋に入らないおそれもあった。
さらに、いずれの場合にも、軒棟方向のケラバカバー同士の接続に関する説明はされていない。そのうえ、雨水については、側壁部や下縁材で受け止めて、ケラバカバー内へ浸入させないことを主眼としており、浸入した分の排出については触れていない。
【０００６】
【課題を解決するための手段】
本発明のケラバ部材は、ケラバカバーと捨板とから成っている。
ケラバカバーには、平面部が形成されており、平面部の左右方向において、一側には、端部に向かって高くなるように斜めに立ち上げられた斜面部が形成されており、その端縁が折り下げられて側面部が形成されており、側面部の下縁が内側方向に折り曲げられて折り曲げ部が形成されており、折り曲げ部には爪部分が形成されている。この爪部分は、下の段に取り付けられているケラバカバーの折り曲げ部に折り曲げることができる幅と長さを有している。一方、平面部の他側には、内側方向に折り返された接続部が形成されている。
また、平面部の軒側は折り下げられて折り下げ部が形成されており、該折り下げ部と斜面部と側面部とを塞ぐ面である斜面閉塞部分が形成されている。
捨板には、捨板平面部と、捨板平面部の左右の片側か、もしくは両側が捨板平面部の表面側に折り曲げられて形成された捨板接続部とが設けられている。そして、捨板平面部の軒側が折り下げられて下がり部となっており、捨板平面部の棟側が立ち上げられて立ち上げ部となっている。
このような構成のケラバカバーの接続部と、捨板の捨板接続部とを組み合わせて横葺きの屋根材のけらばを施工する。
【０００７】
【発明の実施の形態】
本発明のケラバ部材は、ケラバカバーと捨板とから成っており、ケラバカバーの接続部と、捨板の捨板接続部とを組み合わせて横葺きの屋根材のけらばを施工するが、ケラバカバーと捨板には次のような実施の形態がある。
ケラバカバーには、平面部と、平面部の左右方向において、一側から端部に向かって高くなるように斜めに立ち上げられた斜面部とが形成されている。平面部において、取り付けられたときに軒側となる側は、折り下げられて折り下げ部となっており、平面部において斜面部と反対側は、内側方向に折り返されて接続部となっている。
また、斜面部の端縁が折り下げられて側面部が形成されており、側面部において、取り付けられたときに軒側となる側が延出されてから内側方向に折り曲げられて正面部が形成されている。正面部の上位は斜面部と折り下げ部と側面部とを塞ぐ面である斜面閉塞部分となっており、下位は帯状部分となっている。
さらに、側面部の下縁が内側方向に折り曲げられて、折り曲げ部が形成されている。折り曲げ部は、側面部の下縁を内側方向に略直角に折り曲げた第一折り曲げ部と、それを立ち上げた第二折り曲げ部とから成っており、側面部と折り曲げ部とにより、上方に開口した箱形をしている。
そのうえ、折り曲げ部には爪部分が形成されている。爪部分は、第一折り曲げ部の軒側において、一部を延出させることで形成されている。そして、その爪部分が折り曲げられる第二折り曲げ部の棟側は切り欠かれている。爪部分は、下の段に取り付けられているケラバカバーの第一折り曲げ部に折り曲げて用いる。
捨板には、捨板平面部と、捨板平面部の左右両側が、捨板平面部の表面側に折り曲げられて形成された捨板接続部とが設けられている。また、捨板平面部の一側であって、取り付けられたときに軒側となる方が折り下げられて下がり部となっている。一方、捨板平面部の他側であって、取り付けられたときに棟側となる方が立ち上げられて立ち上げ部となっている。
このような構成のケラバカバーの接続部と、捨板の一方の捨板接続部とを組み合わせて横葺きの屋根材のけらばを施工する。このとき、屋根材の面板部と組み合わせられている側の捨板接続部と、ケラバカバーの接続部とが組み合わせられる。
【０００８】
【実施例】
本発明の実施例について、図面をもとに説明する。図１は、本発明のケラバ部材のうちケラバカバー１の実施例の説明図であり、図２は、そのケラバカバー１と捨板２とを用いた施工状態の説明図であり、図３は軒側方向から見た場合の説明図であり、図４は爪部分１５ａに関する説明図であり、図５（ア）はケラバカバー１の他の実施例の説明図であり、図５（イ）は（ア）に示したケラバカバー１の爪部分１５ａに関する説明図である。
【０００９】
まず、図１から図４に基づいて説明するが、はじめに、ケラバカバー１の実施例について説明する。このケラバカバー１は、１枚の金属板を折り曲げて形成したものである。そして、平面部１１と、平面部１１の左右方向において、平面部１１の一側から端部に向かって高くなるように斜めに立ち上げられた斜面部１２とが形成されている。
平面部１１において、取り付けられたときに軒側となる側は、折り下げられて折り下げ部１６となっており、折り下げ部１６は内側方向に折り曲げられて、挿入部１３が形成されている。折り下げ部１６の高さは、後述する横葺きの屋根材３の軒側である係合部３２の高さに合わせてある。平面部１１において斜面部１２と反対側は、内側方向に折り返されて接続部１９となっている。
また、斜面部１２の端縁が折り下げられて側面部１４が形成されており、側面部１４において、取り付けられたときに軒側となる側が延出されてから内側方向に折り曲げられて正面部１７が形成されている。正面部１７の上位は、斜面部１２と折り下げ部１６と側面部１４との間を塞ぐ面である斜面閉塞部分１７ａとなっており、下位は、重厚感が感じられるように、軒側から見たときに縦長帯状の面を形成した帯状部分１７ｂとなっている。このような帯状部分１７ｂが形成されているため、本実施例のケラバカバー１の斜面部１２の幅は、帯状部分１７ｂの幅分だけ、軒側が広く棟側が狭くなっている。
【００１０】
さらに、側面部１４の下縁が内側方向に折り曲げられて、折り曲げ部１５が形成されている。本実施例の折り曲げ部１５は、側面部１４の下縁を内側方向に略直角に折り曲げた第一折り曲げ部１５ｂと、それを立ち上げた第二折り曲げ部１５ｃとから成っており、側面部１４と折り曲げ部１５とにより、上方に開口した箱形をしている。曲げ工程はふえるが、下方にコシが出るため、ケラバカバー１の強度が増す。
そのうえ、図４に詳細に示した通り、折り曲げ部１５には爪部分１５ａが形成されている。本実施例の爪部分１５ａは、第一折り曲げ部１５ｂの軒側において、一部を延出させることで形成されている。そして、その爪部分１５ａが折り曲げられる第二折り曲げ部１５ｃの棟側は切り欠かれている。
【００１１】
次に、捨板２の実施例について説明する。図２と図３に示した捨板２は、１枚の金属板を折り曲げて形成されている。
捨板平面部２２と、捨板平面部２２の左右両側が、捨板平面部２２の表面側に折り曲げられて形成された捨板接続部２３・２３とが設けられている。また、捨板平面部２２の一側であって、取り付けられたときに軒側となる方が折り下げられて下がり部２１となっている。一方、捨板平面部２２の他側であって、取り付けられたときに棟側となる方が立ち上げられて立ち上げ部２４となっている。
本実施例の捨板２は、図２に示した屋根材３の左右の接続に用いられる捨板の軒側と棟側とを設計変更したものである。このため、捨板接続部２３・２３が左右両側に形成されている。
しかし、捨板平面部２２の左右の一側を捨板平面部２２の表面側に折り曲げて捨板接続部２３を形成し、捨板平面部２２の左右の他側を捨板平面部２２の表面側に折り曲げて雨返し部を形成した捨板２でもよい。この場合には、図２の場合とは異なり、左右対称でなくてもよい。雨返し部は、捨板平面部２２を流れる雨が、屋根の内部に入るのを防ぐことができる幅と高さであればよい。
【００１２】
続いて、これまで述べた構成のケラバカバー１と捨板２とを用いた、横葺きの屋根材３のけらば納めについて説明する。その屋根材３は図２に示した通り、面板部３１と、面板部３１の軒側を折り下げてから内側方向に折り曲げた係合部３２と、面板部３１の棟側に形成された係止部３３とを有している。そして、本実施例の場合には、裏面側に断熱材３４が取り付けられている。このような屋根材３が、係止部３３に止着具を打ち込んで下地材５に固定されており、係止部３３に係合部３２を組み合わせ、左右方向は、捨板を介して、屋根材３・３同士を接続して施工されている。
この屋根材３のけらば側は、まっすぐに切断されており、その屋根材３の下側に捨板２を差し込んで、一方の捨板接続部２３と面板部３１とを組み合わせておく。そして、ケラバカバー１を、捨板接続部２３と面板部３１との間に、軒側から棟側に向かって差し込み、捨板接続部２３と接続部１９とを組み合わせる。このとき、屋根材３の係合部３２の下側に、ケラバカバー１の挿入部１３がはめられる。
【００１３】
それと比較して、図６（ア）（イ）に示した従来技術は、屋根材３の表面を横走りしてけらばに垂れる雨を、側壁部１８で受け止めて軒側に排出することを主眼としている。また、図７に示した従来技術も、ケラバカバー１の平面部１１を流れる雨がけらばに垂れるのを斜面部１２により防ぐとともに、軒先に設置した下縁材６で受け止めて屋根材３から樋Ｃに導くことを主眼としている。
それに比べて本発明の場合には、ケラバカバー１と捨板２とを組み合わせている。このため、横葺きの屋根材３の面板部３１とケラバカバー１の接続部１９との隙間から万一雨水が浸入したとしても、捨板２の捨板平面部２２へ流れる。そして、下がり部２１を伝わり、下の段に施工されている屋根材３の面板部３１へと流れ、滞留せずに一段ごとに軒側へ排出されるのである。このように、けらば側からの雨だれを斜面部１２によって防ぐばかりでなく、排水についても考慮している。
また、図６（ア）のように、平面部１１から折り下げられた側壁部１８の下縁が内側方向に折り曲げられていて、単にそこが屋根材３の上に載っているものに比べ、本発明のケラバカバー１は、捨板２の捨板接続部２３を介して屋根材３との一体感が保てるし、上方へ持ち上がるのを防ぐこともできる。
斜面部１２は、平面部１１から連なって形成されている。このため、雨水がけらばに垂れるのを防ぐという目的と、平面部１１が裏面側に折り返された接続部１９によって捨板２と組み合わせられて雨水が下段側に排出されるとともに、捨板２を介して屋根材３との一体感が保てるという目的とを達成することができるとも言える。
【００１４】
これまで述べた実施例のケラバカバー１の施工は、下の段から順に行う。このとき、図４に示した通り、上の段に取り付けられているケラバカバー１の爪部分１５ａを、下の段に取り付けられているケラバカバー１の第一折り曲げ部１５ｂに折り曲げる。このとき、下面側から包み込むようになる。
本実施例の場合には、軒側から見て、側方に突出している正面部１７が形成されているため、重厚感のある意匠となっている。しかも、側面部１４がしなうのを防ぐことができるし、下方も、第一折り曲げ部１５ｂと第二折り曲げ部１５ｃとから成る折り曲げ部１５となっているため、いっそう剛性が出る。
また、爪部分１５ａにより、下段側と上段側に取り付けられたケラバカバー１・１同士の一体感が保てる。しかも、下段のケラバカバー１の側面部１４と、上段のケラバカバー１の正面部１７との間に隙間が生じにくい。さらに、万一、ケラバカバー１が軒側に向かってずれるようなことがあっても、上段に取り付けられているケラバカバー１の爪部分１５ａが、下段に取り付けられているケラバカバー１の第二折り曲げ部１５ｃに当たって止まり、下がることがない。
そのうえ、上の段に取り付けられているケラバカバー１に形成されている爪部分１５ａが、下の段に取り付けられているケラバカバー１の第一折り曲げ部１５ｂの上に折り曲げられていることにより、下側から見上げたときに爪部分１５ａが見えて美観を損ねることもない。
尚、ケラバカバー１の側面部１４の棟側であって、上の段に取り付けられるケラバカバー１の側面部１４で隠れる箇所に止着具を打ち込んで、けらば端部に設置されている下地材に固定するとよい。このことにより、左右方向のガタつきが押さえられ、確実な固定ができる。
【００１５】
図５（ア）（イ）は、ケラバカバー１の他の実施例の説明図であるが、図１のケラバカバー１とは異なる点についてのみ説明する。
図５（ア）のケラバカバー１は、折り下げ部１６とほぼ同じ高さであって、斜面部１２とほぼ同じ角度で、端部に行くにつれて高くなるように傾斜している正面部１７を有している。図１の正面部１７のように、下位に帯状部分１７ｂはなく、斜面部１２と折り下げ部１６と側面部１４との間を塞ぐ面である斜面閉塞部分１７ａのみとなっている。また、折り曲げ部１５は、側面部１４の下縁から内側方向にレ字状に折り曲げられた第一折り曲げ部１５ｂから成っている。
そして、（イ）の通り、爪部分１５ａが、第一折り曲げ部１５ｂの一部を延出させて形成されている。この爪部分１５ａも、図１のケラバカバー１同様、下の段に取り付けられているケラバカバー１の第一折り曲げ部１５ｂに、上の段に取り付けられているケラバカバー１の爪部分１５ａを折り曲げて用いる。
本実施例のケラバカバー１の場合には、図１のような帯状部分１７ｂを形成していないため、側面部１４のコシが弱い。このため、施工の際に、側面部１４が外側方向に向かってふくらんだり内側方向に向かってへこんだりするおそれがある。しかし、爪部分１５ａで接続することによって、ケラバカバー１がそのように変形するのを防ぐことができ、上段側と下段側のケラバカバー１・１の間に隙間があくのを防いで一体感を保つことができる。
【００１６】
これまで述べた通り、本発明によれば、斜面部１２が形成されていることにより、横葺きの屋根材３の面板部３１を横走りした雨がけらばへ垂れるのを防ぐことができる。また、屋根材３とケラバカバー１との隙間から、横走りした雨が浸入したとしても、捨板２の捨板平面部２２と下がり部２１とを通って下段側に排出される。
さらに、爪部分１５ａが形成されていることにより、下段に取り付けられているケラバカバー１と、上段に取り付けられているケラバカバー１との一体感が保てる。
図１から図５に示したものは実施例であり、これまで述べた機能を満たしていれば、ケラバカバー１と捨板２とから成るケラバ部材の設計や意匠に変更を加えることが可能である。本発明のケラバ部材が用いられる横葺きの屋根材３も、他の形状でもよい。
【００１７】
【発明の効果】
図６（ア）に示した従来技術は、けらば側への雨だれを防ぐことを目的としているが、平面部を流れる雨が、けらば側へ垂れてしまった。また、（イ）に示した従来技術は、止水板の側壁部が上方に突出しているため、側壁部が強風により曲がったり、止水板が外れたりするおそれがあった。
しかし、本発明のケラバ部材によれば、ケラバカバーの端部は直立しているのではなく平面部から連なる斜面部となっているため、けらば側へ雨が垂れにくいし、曲がったり外れたりすることもない。
図７に示した従来技術は、平面部よりも突出している下縁材が雪の重みで曲がったり外れたりするおそれがあった。また、平面部は、波板である縦葺きの屋根材に添って段差のないように形成されているため、棟側から勢いよく流れてくる雨が屋根材側へ行かず、下縁材を乗り越えてしまって樋に入らないおそれもあった。
しかし、本発明のケラバ部材によれば、軒側まで流れてくる雨水を受け止めるのではなく一段ごとに下段に流すので、部材が変形することがないし、流れの勢いが増してしまうこともない。
さらに、いずれの従来技術の場合にも、軒棟方向に接続するケラバカバー同士の接続に関する説明はなかったが、本発明によれば、ケラバカバーに爪部分が形成されていることにより、下段に取り付けられているケラバカバーと上段に取り付けられているケラバカバーとの一体感が保てる。
そのうえ、雨水については、いずれの従来技術の場合にも、側壁部や下縁材で受け止めてケラバカバー内へ浸入させないことを主眼としており、浸入した分の排出については触れていないが、本発明の場合には、雨水がケラバカバーと屋根材との間から浸入しても、捨板を用いて一段ごとに排出することができる。
【図面の簡単な説明】
【図１】本発明のケラバ部材のうちケラバカバー１の実施例の説明図である。
【図２】図１に示したケラバカバー１と捨板２とを用いた施工状態の説明図である。
【図３】本発明に係るケラバ部材の軒側方向から見た場合の説明図である。
【図４】爪部分１５ａに関する説明図である。
【図５】（ア）はケラバカバー１の他の実施例の説明図であり、（イ）は（ア）に示したケラバカバー１の爪部分１５ａに関する説明図である。
【図６】（ア）（イ）は、従来技術の説明図である。
【図７】従来技術の説明図である。
【符号の説明】
１      ケラバカバー
１ａ    止水板
１１    平面部
１２    斜面部
１３    挿入部
１４    側面部
１５    折り曲げ部
１５ａ  爪部分
１５ｂ  第一折り曲げ部
１５ｃ  第二折り曲げ部
１６    折り下げ部
１７    正面部
１７ａ  斜面閉塞部分
１７ｂ  帯状部分
１８    側壁部
１９    接続部
２      捨板
２１    下がり部
２２    捨板平面部
２３    捨板接続部
２４    立ち上げ部
３      屋根材
３１    面板部
３２    係合部
３３    係止部
４      止着具
５      下地材
６      下縁材
Ｂ      固定部材
Ｃ      樋
【図１】
2004169353.tif 000003
【図２】
2004169353.tif 000004
【図３】
2004169353.tif 000005
【図４】
2004169353.tif 000006
【図５】
2004169353.tif 000007
【図６】
2004169353.tif 000008
【図７】
2004169353.tif 000009